(57)【要約】【課題】オーサリング処理などにおける変換処理等に起因して意図せずに色変化が生じる場合であっても、コンテンツの製作者側が意図した色作り、映像を再現する。【解決手段】記録媒体から複数の表示基準色データを含む表示データを読み出し、読み出された表示基準色データと、当該表示基準色データに対応する複数の所定の原表示基準色データとをそれぞれ比較し、比較結果に基づいて、表示基準色データに対応する表示色が原表示基準色データに対応する表示色となるように表示データの色補正を行う。【選択図】図５
2008275820.tif 000002
【特許請求の範囲】
【請求項１】
記録媒体から複数の表示基準色データを含む表示データを読み出すデータ読出部と、
前記データ読出部により読み出された前記表示基準色データと、当該表示基準色データ
に対応する所定の原表示基準色データとを比較するデータ比較部と、
前記データ比較部の比較結果に基づいて、前記表示基準色データに対応する表示色が前
記原表示基準色データに対応する表示色となるように前記表示データの色補正を行う色補
正部と、
を備えたことを特徴とする表示制御装置。
【請求項２】
請求項１記載の表示制御装置において、
前記表示基準色データは、前記記録媒体の基準色表示データ格納領域に格納され、
前記データ読出部は、前記基準色表示データ格納領域から前記複数の表示基準色データ
を読み出すことを特徴とする表示制御装置。
【請求項３】
請求項１または請求項２記載の表示制御装置において、
前記基準色表示データ格納領域は、前記記録媒体における前記表示データの格納領域の
うち、表示装置における表示画面の通常表示領域外に相当する領域に設けられており、
前記データ読出部は、当該通常表示領域外に相当する領域から前記表示基準色データを
読み出すことを特徴とする表示制御装置。
【請求項４】
請求項３記載の表示制御装置において、
前記データ読出部は、前記記録媒体に記録されたコンテンツの制作段階において製作者
が行った色補正の情報を含む色補正データを読み出し、
前記データ比較部は、前記色補正データに基づいて、前記原表示基準色データに対応す
る原表示基準色の色補正を行った状態で、前記比較を行う、
ことを特徴とする表示制御装置。
【請求項５】
請求項１ないし請求項４のいずれかに記載の表示制御装置において、
前記色補正部は、前記表示基準色データに対応する表示基準色と、前記原表示基準色デ
ータに対応する原表示基準色との色差を視聴者が識別可能な所定値以上である場合に、前
記表示データの色補正を行うことを特徴とする表示制御装置。
【請求項６】
記録媒体から複数の表示基準色データを含む表示データを読み出すデータ読出過程と、
前記データ読出過程において読み出された前記表示基準色データと、当該表示基準色デ
ータに対応する所定の原表示基準色データとを比較するデータ比較過程と、
前記データ比較過程における比較結果に基づいて、前記表示基準色データに対応する表
示色が前記原表示基準色データに対応する表示色となるように前記表示データの色補正を
行う色補正過程と、
を備えたことを特徴とする表示制御方法。
【請求項７】
記録媒体から読み出した表示データに基づいて外部の表示装置に表示を行わせる表示制
御装置をコンピュータにより制御するための制御プログラムであって、
前記記録媒体から複数の表示基準色データを含む表示データを読み出させ、
前記読み出された前記表示基準色データに対応する表示基準色と、当該表示基準色に対
応する所定の原表示基準色とを比較させ、
前記比較の結果に基づいて、前記表示基準色データに対応する表示色が前記原表示基準
色となるように前記表示データの色補正を行わせる、
ことを特徴とする制御プログラム。
【発明の詳細な説明】
【技術分野】
【０００１】
本発明は、表示制御装置、表示制御方法および制御プログラムに係り、特にディジタル
映像コンテンツを表示する際の色補正技術に関する。
【背景技術】
【０００２】
ディジタルシネマ、ＤＶＤ（Ｄｉｇｉｔａｌ  Ｖｅｒｓａｔｉｌｅ  Ｄｉｓｃ）などの
ディジタル映像コンテンツにおいて、撮影した原画像と色が異なってしまう要因としては
、撮影後に効果として色補正を意図的に行う場合と、文字や画像、音声、動画といった複
数のマルチメディア要素を編集、統合して一つのタイトルとしてまとめるオーサリング処
理における変換処理の際に意図せずに色変化が生じる場合が有ることが知られている。
また、従来、視聴環境における外光などを影響を除去するために補正を行って、視聴環
境の影響を低減するための画質補正システムが提案されている（特許文献１参照）
【０００３】
【特許文献１】特開２００２−３１１５０３号公報
【発明の開示】
【発明が解決しようとする課題】
【０００４】
上記特許文献１記載の技術においては、既にディジタル映像コンテンツにおいて、コン
テンツ制作者の意図しない色変化が生じている場合には、ディジタル映像コンテンツの製
作者の意図した色を再現することはできなかった。
また、意図的に色補正を行った場合と、意図せずに色変化が生じた場合とで区別するこ
となく色補正を行ってしまうと、いずれにおいてもディジタル映像コンテンツの製作者の
意図した色を再現することはできない。
そこで、本発明の目的は、オーサリング処理などにおける変換処理等に起因して意図せ
ずに色変化が生じる場合であっても、コンテンツの製作者側が意図した色作り、映像を再
現することが可能な表示制御装置、表示制御方法および制御プログラムを提供することに
ある。
【課題を解決するための手段】
【０００５】
上記課題を解決するため、表示制御装置は、記録媒体から複数の表示基準色データを含
む表示データを読み出すデータ読出部と、前記データ読出部により読み出された前記表示
基準色データと、当該表示基準色データに対応する所定の原表示基準色データとを比較す
るデータ比較部と、前記データ比較部の比較結果に基づいて、前記表示基準色データに対
応する表示色が前記原表示基準色データに対応する表示色となるように前記表示データの
色補正を行う色補正部と、を備えたことを特徴としている。
上記構成によれば、データ読出部は、記録媒体から複数の表示基準色データを含む表示
データを読み出す。
これにより、データ比較部は、データ読出部により読み出された表示基準色データと、
当該表示基準色データに対応する所定の原表示基準色データとを比較し、色補正部は、デ
ータ比較部の比較結果に基づいて、表示基準色データに対応する表示色が原表示基準色デ
ータに対応する表示色となるように表示データの色補正を行う。
したがって、オーサリング処理などにおける変換処理の際等に起因して意図せずに色変
化が生じる場合であっても、それらの影響をキャンセルすることができ、コンテンツの製
作者側が意図した色作り、映像を再現することが可能となる。
【０００６】
この場合において、前記表示基準色データは、前記記録媒体の基準色表示データ格納領
域に格納され、前記データ読出部は、前記基準色表示データ格納領域から前記複数の表示
基準色データを読み出すようにしてもよい。
上記構成によれば、所定の基準色表示データ格納領域から複数の表示基準色データを読
み出すだけで、意図しない色変化の影響を除去することが可能となる。
【０００７】
また、前記基準色表示データ格納領域は、前記記録媒体における前記表示データの格納
領域のうち、表示装置における表示画面の通常表示領域外に相当する領域に設けられてお
り、前記データ読出部は、当該通常表示領域外に相当する領域から前記表示基準色データ
を読み出すようにしてもよい。
上記構成によれば、表示画像に影響を与えることなく、意図しない色変化の影響を除去
することが可能となる。
また、前記データ読出部は、前記記録媒体に記録されたコンテンツの制作段階において
製作者側で行った色補正の情報を含む色補正データを読み出し、前記データ比較部は、前
記色補正データに基づいて、前記原表示基準色データに対応する原表示基準色の色補正を
行った状態で、前記比較を行うようにしてもよい。
上記構成によれば、記録媒体に記録されたコンテンツの制作段階において製作者側で行
った色補正を反映しつつ、製作者側で意図しない色変化の影響を除去することが可能とな
る。
【０００８】
また、前記色補正部は、前記表示基準色データに対応する表示基準色と、前記原表示基
準色データに対応する原表示基準色との色差を視聴者が識別可能な所定値以上である場合
に、前記表示データの色補正を行うようにしてもよい。
上記構成によれば、処理負荷を必要以上に増大させることなく、視聴者に対し、意図し
ない色変化の影響を除去した画像を提供することが可能となる。
【０００９】
また、表示制御方法は、記録媒体から複数の表示基準色データを含む表示データを読み
出すデータ読出過程と、前記データ読出過程において読み出された前記表示基準色データ
と、当該表示基準色データに対応する所定の原表示基準色データとを比較するデータ比較
過程と、前記データ比較過程における比較結果に基づいて、前記表示基準色データに対応
する表示色が前記原表示基準色データに対応する表示色となるように前記表示データの色
補正を行う色補正過程と、を備えたことを特徴としている。
上記構成によれば、オーサリング処理などにおける変換処理等の際にこれらの処理に起
因して意図せずに色変化が生じる場合であっても、それらの影響をキャンセルすることが
でき、コンテンツの製作者側が意図した色作り、映像を再現することが可能となる。
【００１０】
また、記録媒体から読み出した表示データに基づいて外部の表示装置に表示を行わせる
表示制御装置をコンピュータにより制御するための制御プログラムにおいて、前記記録媒
体から複数の表示基準色データを含む表示データを読み出させ、前記読み出された前記表
示基準色データに対応する表示基準色と、当該表示基準色に対応する所定の原表示基準色
とを比較させ、前記比較の結果に基づいて、前記表示基準色データに対応する表示色が前
記原表示基準色となるように前記表示データの色補正を行わせる、ことを特徴としている
。
上記構成によれば、オーサリング処理などにおける変換処理等際にこれらの処理に起因
して意図せずに色変化が生じる場合であっても、それらの影響をキャンセルすることがで
き、コンテンツの製作者側が意図した色作り、映像を再現することが可能となる。
この場合において、上記各制御プログラムをコンピュータ読取可能な記録媒体に記録す
るようにしても良い。
【００１１】
本発明によれば、コンテンツの制作者の意図した色補正と、オーサリング処理などによ
り意図せずに発生した色変化とを、区別して色補正を行えるので、オーサリング処理など
により意図せずに発生した色変化がある場合でも、コンテンツの製作者側が意図した色作
り、映像を再現することが可能となる。
【発明を実施するための最良の形態】
【００１２】
次に図面を参照して本発明の好適な実施の形態について説明する。
図１は、実施形態のディジタル映像コンテンツ表示システムの概要構成ブロック図であ
る。
ディジタル映像コンテンツ表示システム１０は、大別すると、記録媒体から表示データ
ＤＤを含むディジタルデータが入力される入力インタフェース部１１と、ディジタルデー
タのデコード処理を行うデコーダ部１２と、デコードされた表示データの色解析を行う解
析部１３と、解析部１３の解析結果に基づき、表示データの色補正処理を行う補正部１４
と、補正後の表示データに基づいてディスプレイ１６に画像を表示する出力インタフェー
ス部１５と、を備えている。
入力インタフェース部１１は、例えば、ＤＶＤドライブ装置などから読み取られた信号
のフォーマット変換を行ってデコーダ部１２にディジタルデータとして出力する。
デコーダ部１２は、入力されたディジタルデータのデコード処理を行って、表示画像デ
ータおよびメタデータとして解析部１３に出力する。このとき、表示画像データは、ＲＧ
Ｂ表色系に対応するＲＧＢデータとなっている。
解析部１３は、入力された表示画像データ、所定の表示基準色データおよびＤＶＤに記
録されているメタデータ（補正データ）に基づいて、意図しない色変化量を算出すべく表
示データの解析を行い、解析結果を補正部１４に出力する。
補正部１４は、解析部１３の解析結果に基づき、表示データの色補正処理を行って出力
インタフェース部１５に補正後の表示データを出力する。
出力インタフェース部１５は、補正後の表示データに基づいてディスプレイ１６に画像
を表示する。
【００１３】
次に記録媒体であるＤＶＤに格納されている表示データについて説明する。
図２は、表示データの概念説明図である。
ＤＶＤに格納されている表示データＤＤは、図２に示すように、実際にディスプレイ１
６の表示画面に表示される実表示データＤＲと、通常状態においては、ディスプレイ１６
の表示画面には表示されない非表示データＤＮと、を備えている。
実表示データＤＲは、ＤＶＤに格納されているコンテンツデータそのものであり、動画
像、静止画像などに対応しており、ユーザが視聴の対象とするデータである。
非表示データＤＮは、所定の表示基準色に対応するものとなっており、ユーザの視聴の
対象ではなく、色補正を行うために用いられる。
表示基準色としては、赤（Ｒｅｄ）、緑（Ｇｒｅｅｎ）、青（Ｂｌｕｅ）、シアン（Ｃ
ｙａｎ）、マゼンタ（Ｍａｇｅｎｔａ）、黄（Ｙｅｌｌｏｗ）、白（Ｗｈｉｔｅ）、黒（
Ｂｌａｃｋ）等の単色の他、中間色で、彩度、輝度を０〜１００％の間でともに等間隔で
ステップ的に変化させた色とする。さらに非表示データＤＮは、複数フレームにわたって
格納されていても良く、例えば、第１番目のフレームには、彩度１００％の表示基準色を
格納し、第２番目のフレームには、彩度５０パーセントの表示基準色を格納するなどが考
えられる。なお、表示基準色の記録順は、予め定まった順番となっており、その色も常に
一定となっている。
【００１４】
ところで、実表示データＤＲおよび非表示データＤＮは、ともに表示データＤＤである
ことに違いはないので、制作者の意図的な色補正およびオーサリング時等の意図しない色
変化の影響を受けることとなる。
したがって、非表示データに対応する表示基準色の色がどのように変化しているか、す
なわち、非表示データの値がどのよう本来のデータから異なっているかを把握することに
より、意図しない色変化の影響のみを把握することができ、その影響を除去することが可
能となるのである。
ここで、表示基準色の色補正における使い方について説明する。
上述したように、表示基準色は、ＤＶＤに格納されたコンテンツにかかわらず、一定と
なっている。一方、コンテンツの編集段階において製作者側で意図的に行った色補正デー
タの情報は、ＤＶＤにメタデータとして、例えば、チャプター毎に格納されている。
したがって、表示基準色がコンテンツの編集段階において製作者側で意図的に行った色
補正によってどのようになるかについては、メタデータを参照することにより演算で求め
ることができる。
【００１５】
図３は、実施形態の処理原理説明図である。
以下においては、表示データＤＤがＲＧＢデータ（ＲＧＢ表色系で表されるデータ）で
あるものとして説明する。
Ｒ、Ｇ、Ｂの各色を２５６段階（データ値＝０〜２５５）で表現するものとして、図３
中、符号ＡＡの領域に示すように、表示基準色Ｒ＝２５０、Ｇ＝２５０、Ｂ＝２５０とす
る。
ここで、ＤＶＤから読み出した制作者の意図的な色補正として、図３中、符号ＡＢの領
域に示すように、補正を行うものとする。
具体的には、表示基準色Ｒ（＝原表示基準色データ）に対して、補正量ＣＲ＝−５、Ｃ
Ｇ＝０、ＣＢ＝＋３とする。すなわち、赤みをやや押さえて、青みをやや増した状態とす
る。
また、表示基準色Ｇ（＝原表示基準色データ）に対して、補正量ＣＲ＝０、ＣＧ＝＋２
、ＣＢ＝０とする。すなわち、緑みをやや増した状態とする。
また、表示基準色Ｂ（＝原表示基準色データ）に対して、補正量ＣＲ＝０、ＣＧ＝０、
ＣＢ＝＋５とする。すなわち、青みをやや増した状態とする。
【００１６】
したがって、表示基準色に対して意図しない色変化がなかったとすると、図３中、符号
ＡＣの領域に示すように、補正された表示基準色データ（補正表示基準色データ）、すな
わち、制作者の意図的な色補正がなされた後の表示基準色Ｒは、
Ｒ＝２４５、Ｇ＝０、Ｂ＝３
に対応する色として表示されることとなる。
同様に、制作者の意図的な色補正がなされた後の表示基準色Ｇは、
Ｒ＝０、Ｇ＝２５２、Ｂ＝０
に対応する色として表示され、制作者の意図的な色補正がなされた後の表示基準色Ｂは、
Ｒ＝０、Ｇ＝０、Ｂ＝２５５
に対応する色となる。
【００１７】
これらに対し、制作者の意図的な色補正が行われ、かつ、オーサリングにおける変換処
理の際に意図せずに色変化が生じた結果、ＤＶＤの表示基準色データの格納領域から読み
出された実表示色データ（図３中、符号ＡＤ参照）に対応する表示基準色Ｒ（＝表示基準
色データ）は、
Ｒ＝２５５、Ｇ＝０、Ｂ＝５
に対応する色として表示され、表示基準色Ｇ（＝表示基準色データ）は、
Ｒ＝０、Ｇ＝２５５、Ｂ＝０
に対応する色となり、表示基準色Ｂ（＝表示基準色データ）は、
Ｒ＝０、Ｇ＝０、Ｂ＝２５５
に対応する色として表示されることとなる。
そこで、本実施形態においては、制作者の意図的な色補正がなされた後の表示基準色と
、制作者の意図的な色補正が行われ、かつ、オーサリングにおける変換処理の際に意図せ
ずに色変化が生じた後の表示基準色と、のＬ＊ａ＊ｂ色差ΔＥａｂを算出する。
【００１８】
図４は、Ｌ＊ａ＊ｂ色差ΔＥａｂの算出処理フローチャートである。
この場合において、ＤＶＤから入力される画像データ（表示基準色データも含む）は、
ＲＧＢ表色系であるので、まず、補正表示基準色データおよびＤＶＤから読み出した表示
基準色データの双方をＲＧＢ表色系からＸＹＺ表色系に変換する（ステップＳ１１）。
具体的には、それぞれ次式群により変換を行う。
【００１９】
【数１】
2008275820.tif 000003
【００２０】
続いて、ＸＹＺ表色系で表された補正表示基準色データおよびＤＶＤから読み出した表
示基準色データの双方をＸＹＺ表色系からＬ＊ａ＊ｂ表色系に変換する（ステップＳ１２
）。
具体的には、それぞれ次式群により変換を行う。
【００２１】
【数２】
2008275820.tif 000004
【００２２】
ここで、補正表示基準色データをＬ＊ａ＊ｂ表色系で、
Ｌ１，ａ１，ｂ１
として表し、ＤＶＤから読み出した表示基準色データをＬ＊ａ＊ｂ表色系で、
Ｌ２，ａ２，ｂ２
として表した場合に、次式により、Ｌ＊ａ＊ｂ色差ΔＥａｂを算出する（ステップＳ１３
）。
【００２３】
【数３】
2008275820.tif 000005
そして、
ΔＥａｂ≧１
であれば、制作者の意図的な色補正が行われ、かつ、オーサリングにおける変換処理の際
に意図せずに色変化が生じた後の表示基準色が、元の表示基準色に対して制作者の意図的
な色補正がなされた後の表示基準色となるように、補正部１４において補正を行う。ここ
で、
ΔＥａｂ＜１
であれば、補正を行わないのは、Ｌ＊ａ＊ｂ色差ΔＥａｂが１未満である場合には、色の
違いを視聴者が認識できないと考えられるからである。
【００２４】
また、この場合において、ディジタル映像コンテンツ表示システム１０内の処理誤差（
補正処理を何も行わない場合の、当該ディジタル映像コンテンツ表示システム１０による
表示色変化）については、予め吸収可能なように調整を行っておく必要がある。
【００２５】
次に実施形態の具体的な処理手順について説明する。
図５は、実施形態の処理フローチャートである。
まず、ディジタル映像コンテンツ表示システム１０の入力インタフェース部１１は、記
録媒体であるＤＶＤから表示基準色データを読み出す（ステップＳ２１）。
ここで、表示基準色データの読出タイミングについて説明する。
図６は、実施形態のタイミングチャートである。
入力インタフェース部１１は、時刻ｔ１において、ＤＶＤの読出信号からチャプター信
号の立ち上がり、すなわち、チャプターの先頭位置を検出する。
これと並行して入力インタフェース部１１は、制作者の意図的な色補正に関する情報を
取得するため、メタデータを取得する（ステップＳ２２）。
その後、入力インタフェース部１１は、時刻ｔ２において、表示基準色データが記録さ
れている所定のアドレスから表示基準色データを読み出す。
【００２６】
この場合において、表示基準色データがｎ個のフレームに格納されている場合には、第
２フレーム以降は、チャプター信号の立ち上がりに代えて、フレーム同期信号（＝垂直帰
線信号）の立ち上がりを検出して、表示基準色データが記録されている所定のアドレスか
ら表示基準色データを読み出すこととなる。
そして、所定の表示基準色データおよびメタデータに基づいて、制作者の意図的な色補
正がなされた後に得られるであろう表示基準色に対応する基準補正データを算出する（ス
テップＳ２３）。
続いて、解析部１３は、ＤＶＤの所定のアドレスから読み出した表示基準色データと、
基準補正データと、のＬ＊ａ＊ｂ色差ΔＥａｂを上述した手順で算出する（ステップＳ２
４）。
つづいて、解析部１３は、
ΔＥａｂ＜１
であるか、否かを判別する（ステップＳ２５）。
【００２７】
ステップＳ２５の判別において、
ΔＥａｂ≧１
である場合には、色の違いを視聴者が認識できると考えられるので、実際にディスプレイ
１６で表示を行うに先立って、補正部１４において表示データ（＝実表示データ＋非表示
データ）に対して補正を行って、補正後の表示データを出力インタフェース部１５に出力
し、処理をステップＳ２７に移行する。
ステップＳ２５の判別において、
ΔＥａｂ＜１
である場合には、色の違いを視聴者が認識できないと考えられるので、補正部１４は、入
力された実表示データをそのまま、出力インタフェース部１５に出力することとなる。
この結果、ディスプレイ１６は、補正後あるいは補正無しの表示データに基づいて表示
を行うこととなる（ステップＳ２７）。
これらの結果、ディスプレイ１６に表示される画像は、制作者の意図的な色補正が行わ
れた状態のものとなり、オーサリングにおける変換処理の際に意図せずに生じた色変化の
影響を含まないものとなる。
すなわち、本実施形態によれば、コンテンツの製作者側が意図した色作り、映像を再現
することが可能となる。
【００２８】
以上の説明においては、記録媒体としてＤＶＤの場合について説明したが、他のディス
ク状光記録媒体、ビデオテープなどのテープ状記録媒体、ハードディスクなど磁気記録媒
体、メモリカードなどの半導体を利用した記録媒体などについても同様に適用が可能であ
る。
以上の説明においては、制御プログラムがＲＯＭに予め記憶されていることを前提とし
ていたが、これに限らず、コンピュータを図示せぬパーソナルコンピュータやサーバコン
ピュータと通信ケーブルあるいはネットワークを介して接続し、このパーソナルコンピュ
ータあるいはサーバコンピュータから制御プログラムをダウンロードするような形態であ
ってもよい。この場合、表示制御装置内の書き換え可能な不揮発性メモリに制御プログラ
ムが記憶されるようにすればよい。そして、各装置の処理部は、この不揮発性メモリから
制御プログラムを読み出して、これを実行するようにすればよい。
【図面の簡単な説明】
【００２９】
【図１】実施形態のディジタル映像コンテンツ表示システムの概要構成ブロック図である。
【図２】表示データの概念説明図である。
【図３】実施形態の処理原理説明図である。
【図４】Ｌ＊ａ＊ｂ色差ΔＥａｂの算出処理フローチャートである。
【図５】実施形態の処理フローチャートである。
【図６】実施形態のタイミングチャートである。
【符号の説明】
【００３０】
１０…ディジタル映像コンテンツ表示システム、１１…入力インタフェース部、１２…
デコーダ部、１３…解析部、１４…補正部、１５…出力インタフェース部、１６…ディス
プレイ、ＤＤ…表示データ、ＤＮ…非表示データ、ＤＲ…実表示データΔＥａｂ…色差。
【図１】
2008275820.tif 000006
【図２】
2008275820.tif 000007
【図３】
2008275820.tif 000008
【図４】
2008275820.tif 000009
【図５】
2008275820.tif 000010
【図６】
2008275820.tif 000011